【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
第１の基地局と通信する第１のゲートウェイと、第２の基地局と通信する第２のゲートウェイと、前記第１及び／又は第２のゲートウェイにグループ通信データを配信するための配信装置と、を備えた通信システムにおいて、
前記第１及び第２のゲートウェイは、それぞれ、
通信中のグループ通信のグループ番号と、グループ通信データの転送元となる転送元ゲートウェイのアドレスと、グループ通信データの転送先となる転送先ゲートウェイのアドレスと、ゲートウェイが管理している基地局下に存在して現在配信対象となっている無線端末の端末番号との対応関係を格納する、第１及び第２のグループ通信転送情報テーブル
を備え、
前記第１の基地局下に第１の無線端末がある場合、
前記第１のゲートウェイは、前記第１のグループ通信転送情報テーブルに、グループ番号には通信中グループ番号を、転送先ゲートウェイのアドレスと転送元ゲートウェイのアドレスには前記第１のゲートウェイ自身のアドレスを、配信対象無線端末の端末番号には前記第１の無線端末の端末番号を記憶し、
前記第１のゲートウェイは、前記第１のグループ通信転送情報テーブルを参照することにより、前記配信装置と前記第１のゲートウェイとの間に、グループ通信のための第１の送受信経路を構築して、対象とするグループ通信に関して、前記配信装置から、前記第１の送受信経路及び前記第１のゲートウェイ及び前記第１の基地局を介して、前記第１の無線端末にグループ通信データを配信し、
グループ通信中に前記第１の無線端末が、前記第１の基地局下から前記第２の基地局下に移動して、ゲートウェイ間ハンドオフが発生する場合、
前記第１の無線端末は、前記第２の基地局に対して再呼設定要求を送信し、
前記第２の基地局は、受信した再呼設定要求を前記第２のゲートウェイに転送し、
前記第２のゲートウェイは、再呼設定要求を受信すると、前記第１のゲートウェイに、通信中のグループ通信のデータを転送してもらうための、前記第１の無線端末の端末番号及び自ゲートウェイのアドレスを含む転送設定要求を送信し、
前記第１のゲートウェイは、転送設定要求を受信すると、前記第１の基地局にチャネル解放を指示することにより、前記第１の無線端末へのグループ通信データの配信を止め、
前記第１のゲートウェイは、前記第１のグループ通信転送情報テーブルのエントリ中、配信対象無線端末の端末番号の項目から、前記第１の無線端末の端末番号を削除し、転送元ゲートウェイの項目が自ゲートウェイとなっているグループ番号のエントリを、通信中のグループ通信終了まで残し続けることで、前記第１の送受信経路を維持し、
前記第１のゲートウェイは、前記第２のゲートウェイに、転送要否を不要と設定した転送設定応答をし、
前記第２のゲートウェイは、前記第２の基地局に対して、前記第１の無線端末にグループ通信データを送受信する無線チャネルを指定させ、
前記第２のゲートウェイは、前記第２のグループ通信転送情報テーブルに、グループ番号には前記通信中グループ番号を、転送元ゲートウェイのアドレスには前記第１のゲートウェイのアドレスを、転送先ゲートウェイのアドレスには前記第２のゲートウェイ自身のアドレスを、配信対象無線端末の端末番号には前記第１の無線端末の端末番号を設定し、
前記第２のゲートウェイは、前記第１のゲートウェイに、転送要否を要と設定した前記第２のゲートウェイのアドレスを含む設定完了通知を送信し、
前記第１のゲートウェイは、設定完了通知を受信すると、前記第１のグループ通信転送情報テーブルに、グループ番号が前記通信中グループ番号であるエントリに対して、転送元ゲートウェイのアドレスには前記第１のゲートウェイ自身のアドレスを、転送先ゲートウェイのアドレスには前記第２のゲートウェイのアドレスを設定し、配信対象無線端末の端末番号の項目は空にした行を追加設定し、
前記第１のゲートウェイは、前記第１のグループ通信転送情報テーブルを参照して、前記第１のゲートウェイから前記第２のゲートウェイへのグループ通信のデータの転送経路を新たに構築することにより、
前記第１及び第２のゲートウェイは、それぞれ前記第１及び第２のグループ通信転送情報テーブルを参照して、対象とするグループ通信に関して、前記配信装置から、構築済みで維持した前記第１の送受信経路を用い、前記第１及び第２のゲートウェイ、前記転送経路及び前記第２の基地局を介して、前記第１の無線端末にデータを配信するようにした、通信システム。
【請求項２】
請求項１に記載の通信システムであって、
前記配信装置から、前記第１の送受信経路及び前記転送経路を経て前記第１の無線端末にデータを配信中、
第２の無線端末が、前記第２の基地局に位置登録要求を送信すると、
前記第２のゲートウェイは、前記第２の無線端末が既に開始された前記通信中グループ番号のグループ通信のメンバである場合、前記配信装置から、前記第２の無線端末に呼接続するための制御信号を受信し、
前記第２のゲートウェイは、通信中のグループ通信として、前記第２のグループ通信転送情報テーブルに、グループ番号が前記通信中グループ番号であるエントリに対して、転送先ゲートウェイのアドレスと転送元ゲートウェイのアドレスに前記第２のゲートウェイ自身のアドレスを、配信対象無線端末の端末番号に前記第２の無線端末の端末番号を設定した行を追加し、
前記第２のゲートウェイは、前記第２のグループ通信転送情報テーブルを参照し、前記配信装置と前記第２のゲートウェイとの間に、グループ通信データの第２の送受信経路を構築し、
前記第２のゲートウェイは、前記第１のゲートウェイに、前記通信中グループ番号と、転送先ゲートウェイのアドレスとして前記第２のゲートウェイ自身のアドレスを設定した転送解除要求を送信し、
前記第１のゲートウェイは、転送解除要求を受信すると、前記第１のグループ通信転送情報テーブルから、転送解除を要求されている転送経路設定のエントリを削除し、前記第２のゲートウェイに、転送解除応答を返し、
前記第２のゲートウェイは、転送解除応答を受信すると、前記第２のグループ通信転送情報テーブルから、転送解除を要求した転送経路設定のエントリを削除することにより、
前記第２のゲートウェイは、前記第２のグループ通信転送情報テーブルを参照して、対象とするグループ通信に関して、前記第２の送受信経路を利用して、前記配信装置から前記第１及び第２の無線端末に音声データを配信し、一方、前記第１のゲートウェイは、構築済みの前記第１の送受信経路を維持することを特徴とする、通信システム。
【請求項３】
請求項１又は２に記載の通信システムであって、
前記配信装置から、前記第１の送受信経路並びに前記転送経路を経て、又は、前記第２の送受信経路を経て、前記第２の基地局下の前記第１の無線端末にデータを配信中に、前記第１の無線端末が前記第２の基地局下から前記第１の基地局下に再びハンドオフする場合、
前記第２のゲートウェイは、前記第１のゲートウェイから、前記第１の無線端末の端末番号及び前記第１のゲートウェイのアドレスを含む転送設定要求を受信すると、前記第２のグループ通信転送情報テーブルを用いて、ハンドオフした前記第１の無線端末がどのグループ番号のグループ通信を行っているかを特定し、特定したエントリから、配信対象無線端末の端末番号の項にある前記第１の無線端末の端末番号を削除し、前記第１の無線端末に対するチャネルを解放し、
前記第２のゲートウェイは、前記第１のゲートウェイに、転送要否を不要に設定した転送設定応答を送信し、
前記第１のゲートウェイは、前記第１のグループ通信転送情報テーブルに関して、対象のグループ通信に関するエントリに転送経路設定の行が存在しない状態に設定し、
前記第１のゲートウェイは、前記第２のゲートウェイに、前記第１のゲートウェイのアドレスを含み転送要否を不要に設定した設定完了通知を送信し、
前記第２のゲートウェイは、設定完了通知を受信すると、前記第２のグループ通信転送情報テーブルのエントリで、前記第１のゲートウェイとの転送経路設定の行を削除することにより、
前記第１のゲートウェイは、前記第１のグループ通信転送情報テーブルを参照して、既に構築されて維持した前記第１の送受信経路を利用して、対象とするグループ通信に関して、前記配信装置から、前記第１のゲートウェイ、前記第１の基地局を介して、前記第１の無線端末に音声データを配信することを特徴とする、通信システム。
【請求項４】
請求項１に記載の通信システムであって、
前記第１のゲートウェイは、前記グループ通信のデータを前記第１の無線端末とは異なる別の無線端末に配信するか否か、または、前記第２のゲートウェイに転送するか否かに関わらず、配信装置との間に前記グループ通信の呼を確立している場合に、前記配信装置に呼切断要求を出さず、呼を維持し、
前記配信装置は、前記グループ通信が続いている間は前記第１のゲートウェイに前記グループ通信のデータを配信し続けることを特徴とする、通信システム。
【請求項５】
請求項１に記載の通信システムであって、
前記第１のゲートウェイは、前記第１の無線端末がハンドオフして前記第１の基地局下に戻ってきた場合に、前記配信装置から受信し続けている前記グループ通信のデータを利用して前記第１の無線端末への前記グループ通信の配信を再開することを特徴とする、通信システム。
【請求項６】
請求項１に記載の通信システムであって、
前記第１のゲートウェイ、および、前記第２のゲートウェイは、プロキシを行っている無線端末以外の前記グループ通信のメンバである無線端末から位置登録要求を受けると、該無線端末に対して前記グループ通信のデータを配信することを許容することを特徴とする、通信システム。
【請求項７】
請求項１に記載の通信システムであって、
前記第１のゲートウェイは、
前記第２のゲートウェイから前記グループ通信に対する転送要を示すメッセージを受信した場合に、前記第２のゲートウェイを転送先とする前記グループ通信の転送経路を構築又は維持することを決定し、前記転送経路を構築又は維持して、前記第２のゲートウェイに対して前記グループ通信のデータ転送を開始することを特徴とする、通信システム。
【請求項８】
請求項７に記載の通信システムであって、
前記第１のゲートウェイは、
前記第２のゲートウェイから前記グループ通信に対する転送不要を示すメッセージを受信した場合に、前記転送経路を不要であると決定し、前記転送経路を削除して、前記第２のゲートウェイに対して前記グループ通信のデータ転送を停止することを特徴とする、通信システム。
【請求項９】
第１の基地局と通信する第１のゲートウェイと、第２の基地局と通信する第２のゲートウェイと、前記第１及び／又は第２のゲートウェイにグループ通信データを配信するための配信装置と、を備えた通信システムにおけるゲートウェイであって、
第１及び第２のゲートウェイは、それぞれ、
通信中のグループ通信のグループ番号と、グループ通信データの転送元となる転送元ゲートウェイのアドレスと、グループ通信データの転送先となる転送先ゲートウェイのアドレスと、ゲートウェイが管理している基地局下に存在して現在配信対象となっている無線端末の端末番号との対応関係を格納する、第１及び第２のグループ通信転送情報テーブル
を備え、
前記第１の基地局下に第１の無線端末がある場合、
前記第１のゲートウェイは、前記第１のグループ通信転送情報テーブルに、グループ番号には通信中グループ番号を、転送先ゲートウェイのアドレスと転送元ゲートウェイのアドレスには前記第１のゲートウェイ自身のアドレスを、配信対象無線端末の端末番号には前記第１の無線端末の端末番号を記憶し、
前記第１のゲートウェイは、前記第１のグループ通信転送情報テーブルを参照することにより、前記配信装置と前記第１のゲートウェイとの間に、グループ通信のための第１の送受信経路を構築して、対象とするグループ通信に関して、前記配信装置から、前記第１の送受信経路及び前記第１のゲートウェイ及び前記第１の基地局を介して、前記第１の無線端末にグループ通信データを配信し、
グループ通信中に前記第１の無線端末が、前記第１の基地局下から前記第２の基地局下に移動して、ゲートウェイ間ハンドオフが発生する場合、
前記第２のゲートウェイは、前記第１の無線端末から前記第２の基地局経て転送された再呼設定要求を受信すると、前記第１のゲートウェイに、通信中のグループ通信のデータを転送してもらうための、前記第１の無線端末の端末番号及び自ゲートウェイのアドレスを含む転送設定要求を送信し、
前記第１のゲートウェイは、転送設定要求を受信すると、前記第１の基地局にチャネル解放を指示することにより、前記第１の無線端末へのグループ通信データの配信を止め、
前記第１のゲートウェイは、前記第１のグループ通信転送情報テーブルのエントリ中、配信対象無線端末の端末番号の項目から、前記第１の無線端末の端末番号を削除し、転送元ゲートウェイの項目が自ゲートウェイとなっているグループ番号のエントリを、通信中のグループ通信終了まで残し続けることで、前記第１の送受信経路を維持し、
前記第１のゲートウェイは、前記第２のゲートウェイに、転送要否を不要と設定した転送設定応答をし、
前記第２のゲートウェイは、前記第２の基地局に対して、前記第１の無線端末にグループ通信データを送受信する無線チャネルを指定させ、
前記第２のゲートウェイは、前記第２のグループ通信転送情報テーブルに、グループ番号には前記通信中グループ番号を、転送元ゲートウェイのアドレスには前記第１のゲートウェイのアドレスを、転送先ゲートウェイのアドレスには前記第２のゲートウェイ自身のアドレスを、配信対象無線端末の端末番号には前記第１の無線端末の端末番号を設定し、
前記第２のゲートウェイは、前記第１のゲートウェイに、転送要否を要と設定した前記第２のゲートウェイのアドレスを含む設定完了通知を送信し、
前記第１のゲートウェイは、設定完了通知を受信すると、前記第１のグループ通信転送情報テーブルに、グループ番号が前記通信中グループ番号であるエントリに対して、転送元ゲートウェイのアドレスには前記第１のゲートウェイ自身のアドレスを、転送先ゲートウェイのアドレスには前記第２のゲートウェイのアドレスを設定し、配信対象無線端末の端末番号の項目は空にした行を追加設定し、
前記第１のゲートウェイは、前記第１のグループ通信転送情報テーブルを参照して、前記第１のゲートウェイから前記第２のゲートウェイへのグループ通信のデータの転送経路を新たに構築することにより、
前記第１及び第２のゲートウェイは、それぞれ前記第１及び第２のグループ通信転送情報テーブルを参照して、対象とするグループ通信に関して、前記配信装置から、構築済みで維持した前記第１の送受信経路を用い、前記第１及び第２のゲートウェイ、前記転送経路及び前記第２の基地局を介して、前記第１の無線端末にデータを配信するようにした、ゲートウェイ。
【請求項１０】
グループ通信のメンバである複数の無線端末に配信装置から前記グループ通信のデータを配信する通信方法において、
第１のゲートウェイが前記グループ通信のメンバである第１の無線端末のプロキシとして動作し、前記グループ通信中に前記第１の無線端末が、前記第１のゲートウェイと通信する第１の基地局下から、第２のゲートウェイと通信する第２の基地局下にハンドオフする場合、
前記第１のゲートウェイは、前記グループ通信のデータを前記第１の無線端末とは異なる別の無線端末に配信するか否か、または、前記第２のゲートウェイに転送するか否かに関わらず、前記第１のゲートウェイと前記配信装置との間に前記グループ通信の第１の経路又は呼を確立している場合に、前記配信装置に呼切断要求を出さず、前記第１の経路又は呼を維持し、
前記配信装置は、前記グループ通信が続いている間は前記第１のゲートウェイに前記グループ通信のデータを配信し続け、
前記第２のゲートウェイは、前記配信装置との間に前記グループ通信の経路又は呼を確立していない場合、かつ、前記第１のゲートウェイを含む他のゲートウェイを転送元とする前記グループ通信の転送経路を持たない場合に、前記第１のゲートウェイを転送元として前記第２のゲートウェイを転送先とする前記グループ通信の転送経路を構築することを決定し、前記第１のゲートウェイに対して転送要を示すメッセージを送信し、
前記第１のゲートウェイは、
前記第２のゲートウェイから前記グループ通信に対する転送要を示すメッセージを受信した場合に、前記第１のゲートウェイを転送元として前記第２のゲートウェイを転送先とする前記グループ通信の転送経路を構築又は維持することを決定し、前記転送経路を構築又は維持して、前記第２のゲートウェイに対して前記グループ通信のデータを転送することを特徴とする、通信方法。